(57)【要約】【課題】装着時に美感や扉の開閉性を損うことなく、扉の枢支側端部での指挟み事故をより効果的に防止することができる、意匠性の高い扉の指挟み防止具を提供する。【解決手段】戸当り取付部16と、扉側取付部18と、複数の関節条部22を介して戸当り取付部16と扉側取付部18との間に架設されるカバー部20とを有する押し開き側部材12、及び枠体側取付部30と、扉側取付部32と、複数の関節条部36を介して枠体側取付部30と扉側取付部32との間に架設されるカバー部34とを有する引き開き側部材14で構成され、扉Dを閉めた際には、押し開き側部材12が折り畳まれると共に、引き開き側部材14が丁番H近傍を囲繞するように伸長し、扉Dを全開した際には、押し開き側部材12が開口枠Wの表面から扉Dの押し開き側表面に沿ってこれらを覆うように伸長すると共に、引き開き側部材14が折り畳まれることを特徴とする。【選択図】図２
2010084411.tif 000002
【特許請求の範囲】
【請求項１】
開口枠に設けられた戸当りの表面に沿って着脱可能に取り付けられる戸当り取付部と、開口部を開閉する扉の押し開き側表面の枢支側端部に沿って着脱可能に取り付けられる扉側取付部と、可撓性材料からなる複数の関節条部を介して前記戸当り取付部と前記扉側取付部との間に架設される硬質材料からなるカバー部とを有する押し開き側部材、及び
開口枠の側面に沿って着脱可能に取り付けられる枠体側取付部と、開口部を開閉する扉の引き開き側表面の枢支側端部に沿って着脱可能に取り付けられる扉側取付部と、可撓性材料からなる複数の関節条部を介して前記枠体側取付部と前記扉側取付部との間に架設される硬質材料からなるカバー部とを有する引き開き側部材で構成され、
前記開口部の前記扉を閉めた際には、前記押し開き側部材が折り畳まれると共に、前記引き開き側部材が開口枠と扉とを枢支する丁番を囲繞するように伸長し、
前記扉を開扉した際には、前記押し開き側部材が開口枠の表面，扉の側面及び押し開き側表面に沿ってこれらを覆うように伸長すると共に、前記引き開き側部材が折り畳まれることを特徴とする扉の指挟み防止具。
【請求項２】
前記押し開き側部材及び引き開き側部材の扉側取付部を断面略コ字状のフック形状にすると共に、
前記扉の押し開き側表面の枢支側端部に、前記扉の側面に貼着される貼着片と、前記貼着片の端部から略直角に延ばされて前記扉の押し開き側の表面に沿着される沿着片と、前記沿着片の先端が折り返されて前記押し開き側部材の前記扉側取付部が嵌着される嵌着部とからなる押し開き側掛止部材を取り付け、該押し開き側掛止部材に前記押し開き側部材の扉側取付部を掛止し、
前記扉の引き開き側表面の枢支側端部に、前記扉の側面に貼着される貼着片と、前記貼着片の端部から略直角に延ばされて前記扉の引き開き側の表面に沿着される沿着片と、前記沿着片の表面から突出すると共にその先端が沿着片の先端方向に曲折されて前記引き開き側部材の扉側取付部が嵌着される嵌着部とからなる引き開き側掛止部材を取り付け、該引き開き側掛止部材に前記引き開き側部材の扉側取付部を掛止することを特徴とする請求項１に記載の扉の指挟み防止具。
【発明の詳細な説明】
【技術分野】
【０００１】
本発明は、住宅内の部屋や収納等の開口部に設けられた扉の開閉時に、指などが挟み込まれる事故を防止するために取り付ける扉の指挟み防止具に関する。
【背景技術】
【０００２】
一般的に、住宅内の部屋や収納等の開口部には、開き戸や折れ戸などの「扉」が設けられている。この扉は、開口部に配設された枠材(すなわち開口枠)に丁番を介して枢支されており、ドアノブ等を掴んで押し引きすることによって開口部を開閉する。
【０００３】
従来、上述のように開口枠に丁番を介して枢支された扉では、開閉時に扉の丁番側と開口枠との間に大きな隙間が生じてしまい、小さな子供のみならず大人(とりわけ老人)までもが指や身体の一部を挟んで大怪我につながることがあった。
【０００４】
そこで、このような事故を未然に防ぐため、扉の枢支側(丁番側)端部に指挟み防止具を取り付ける技術が開示されている。かかる指挟み防止具として、例えば、合成樹脂やゴムなどの可撓性材料からなるアコーディオン状のカバー部材を用いて前記隙間を扉の枢支側端部における押し開き側から隠すもの（例えば、特許文献１参照。）や、一対のカバープレート同士を互いに重ね合わせ、各カバープレートに設けられた長孔にビスなどを通してスライド可能に構成したスライド式のカバー部材を用いて前記隙間を扉の枢支側端部における押し開き側から隠すもの（例えば、特許文献２参照。）などが挙げられる。
【特許文献１】特開平１０−１８４１８４号公報
【特許文献２】実用新案登録３１３０４４７号公報
【発明の開示】
【発明が解決しようとする課題】
【０００５】
しかしながら、上記各指挟み防止具のうち、前者のものは、カバー部材の表面全体に連続して設けられたアコーディオン状の凹凸が無数の筋となって現れることから、意匠性に乏しく外観上見苦しい点を否めない。又、このようなカバー部材を扉の枢支側端部における押し開き側の表面にしか取り付けていないため、扉の枢支側端部の引き開き側からの指挟みを防止することはできなかった。加えて、合成樹脂やゴムなどの可撓性材料からなり、全体が伸縮するアコーディオン状のカバー部材では、当該カバー部材に所定の硬度が得られない場合、扉と開口枠との間に指が挟まれていてもカバー部材が復元せず、カバー部材を装着したにもかかわらず扉と開口枠との間に指が挟まれてしまうと云う問題もあった。
【０００６】
一方、後者のものは、カバーの表面に凹凸が少ないため装着時に美感を損うことはなく、カバーを硬質のもので形成することができるものの、互いに重ね合わせた一対のカバープレートそれぞれに設けられた長孔にビスなどを挿通させてスライド可能とした構造であるため、これらの組付け精度が低い場合には、ビスなどが長孔を抉り、スライド時に抵抗が発生し、扉の開閉がし辛くなると云う問題があった。又、前者のものと同様に、カバー部材を扉の枢支側端部における押し開き側の表面にしか取り付けていないため、扉の枢支側端部の引き開き側からの指挟みを防止することはできなかった。
【０００７】
それゆえ、本発明の主たる課題は、装着時に美感や扉の開閉性を損うことなく、扉の枢支側端部での指挟み事故をより効果的に防止することができる、意匠性の高い扉の指挟み防止具を提供することである。
【課題を解決するための手段】
【０００８】
請求項１に記載した発明は、
（ａ）開口枠Ｗに設けられた戸当りＳの表面に沿って着脱可能に取り付けられる戸当り取付部１６と、開口部Ｏを開閉する扉Ｄの押し開き側表面の枢支側端部に沿って着脱可能に取り付けられる扉側取付部１８と、可撓性材料からなる複数の関節条部２２を介して前記戸当り取付部１６と前記扉側取付部１８との間に架設される硬質材料からなるカバー部２０とを有する押し開き側部材１２、及び
（ｂ）開口枠Ｗの側面に沿って着脱可能に取り付けられる枠体側取付部３０と、開口部Ｏを開閉する扉Ｄの引き開き側表面の枢支側端部に沿って着脱可能に取り付けられる扉側取付部３２と、可撓性材料からなる複数の関節条部３６を介して前記枠体側取付部３０と前記扉側取付部３２との間に架設される硬質材料からなるカバー部３４とを有する引き開き側部材１４で構成され、
（ｃ）前記開口部Ｏの前記扉Ｄを閉めた際には、前記押し開き側部材１２が折り畳まれると共に、前記引き開き側部材１４が開口枠Ｗと扉Ｄとを枢支する丁番Ｈを囲繞するように伸長し、
（ｄ）前記扉Ｄを開扉した際には、前記押し開き側部材１２が開口枠Ｗの表面，扉Ｄの側面及び押し開き側表面に沿ってこれらを覆うように伸長すると共に、前記引き開き側部材１４が折り畳まれることを特徴とする
（ｅ）扉Ｄの指挟み防止具１０である。
【０００９】
この発明では、扉Ｄの枢支側端部における押し開き側及び引き開き側のそれぞれに、硬質材料からなるカバー部２０，３４を主体とした押し開き側部材１２及び引き開き側部材１４が取り付けられている。このため、扉Ｄの枢支側端部の両側から扉Ｄと開口枠Ｗとの間に指などが入り込むのを防止することができ、扉Ｄの枢支側端部での指挟み事故を防止することができる。
【００１０】
また、開口部Ｏの扉Ｄを閉めた際には、押し開き側部材１２が折り畳まれると共に、引き開き側部材１４が開口枠Ｗと扉Ｄとを枢支する丁番Ｈを囲繞するように伸長し、扉Ｄを開扉した際には、押し開き側部材１２が開口枠Ｗの表面，扉Ｄの側面及び押し開き側表面に沿ってこれらを覆うように伸長すると共に、引き開き側部材１４が折り畳まれるように構成されている。つまり、指挟み防止具１０が扉Ｄの１８０度開閉に対応した最小のサイズで構成されている。このため、開口部Ｏへの指挟み防止具１０装着時に美感を損う心配はなく、外観上問題を呈する虞はない。
【００１１】
さらに、押し開き側部材１２及び引き開き側部材１４は扉Ｄ及び開口枠Ｗに対して着脱可能に構成されているので、既存の扉Ｄ(開き戸、折れ戸)への後付けが可能であり、又、例えば子供が成長してこのような指挟み防止具１０が不要となった場合には、これを取り外すことができる。
【００１２】
そして、可撓性材料からなる複数の関節条部２２，３６によって各部材が連結された構造となっているので、扉Ｄの開閉をスムーズに行なうことができる。
【００１３】
請求項２に記載した発明は、請求項１に記載の扉の指挟み防止具において、
（ｆ）前記押し開き側部材１２及び引き開き側部材１４の扉側取付部１８，３２を断面略コ字状のフック形状にすると共に、
（ｇ）前記扉Ｄの押し開き側表面の枢支側端部に、前記扉Ｄの側面に貼着される貼着片２６ａと、前記貼着片２６ａの端部から略直角に延ばされて前記扉Ｄの押し開き側の表面に沿着される沿着片２６ｂと、前記沿着片２６ｂの先端が折り返されて前記押し開き側部材１２の前記扉側取付部１８が嵌着される嵌着部２６ｃとからなる押し開き側掛止部材２６を取り付け、該押し開き側掛止部材２６に前記押し開き側部材１２の扉側取付部１８を掛止し、
（ｈ）前記扉Ｄの引き開き側表面の枢支側端部に、前記扉Ｄの側面に貼着される貼着片４０ａと、前記貼着片４０ａの端部から略直角に延ばされて前記扉Ｄの引き開き側の表面に沿着される沿着片４０ｂと、前記沿着片４０ｂの表面から突出すると共にその先端が沿着片４０ｂの先端方向に曲折されて前記引き開き側部材１４の扉側取付部３２が嵌着される嵌着部４０ｃとからなる引き開き側掛止部材４０を取り付け、該引き開き側掛止部材４０に前記引き開き側部材１４の扉側取付部３２を掛止することを特徴とする
（ｉ）扉Ｄの指挟み防止具１０である。
【００１４】
この発明では、扉Ｄの側面側に貼着される押し開き側掛止部材２６及び引き開き側掛止部材４０を用いて押し開き側部材１２及び引き開き側部材１４がそれぞれ扉Ｄ側に取り付けられているので、指挟み防止具１０を取り外した際に、扉Ｄ側の取り外し跡を目立たなくすることができる。
【００１５】
また、押し開き側掛止部材２６の嵌着部２６ｃは沿着片２６ｂの先端が折り返されて形成されており、引き開き側掛止部材４０の嵌着部４０ｃは沿着片４０ｂの表面から突出すると共にその先端が沿着片４０ｂの先端方向に曲折されて形成されているので、これら嵌着部２６ｃ，４０ｃに嵌めこんだ押し開き側部材１２の扉側取付部１８及び引き開き側部材１４の扉側取付部３２が、カバー部２０，３４を指で押しても脱落しない方向に差し込まれるようになる。したがって、カバー部２０，３４に指などが突き当てられた際に、扉側取付部１８，３２が当該嵌着部２６ｃ、４０ｃから脱落するのを防止することができる。
【発明の効果】
【００１６】
本発明によれば、装着時に美感を損うことなく、扉の枢支側端部での指挟み事故をより効果的に防止することができる、意匠性の高い扉の指挟み防止具を提供することができる。
【発明を実施するための最良の形態】
【００１７】
以下、本発明を図示実施例に従って詳述する。図１は、本発明の扉Ｄの指挟み防止具１０が、開口部Ｏを開閉する扉Ｄの高さ方向全体に取り付けられている状態を示した正面図であり、図２は、図１におけるＡ−Ａ断面図である。図２に示すように、本発明の扉Ｄの指挟み防止具１０は、開口部Ｏに丁番Ｈを介して開口枠Ｗ(より具体的には縦枠の一方)に枢支された扉Ｄの枢支側端部における押し開き側に取り付けられる押し開き側部材１２と、引き開き側に取り付けられる引き開き側部材１４とで構成されている。
【００１８】
なお、扉Ｄ(具体的には開き戸や折れ戸)を構成する戸板及び開口枠Ｗを構成する枠材は、挽材、合板、木質繊維板(インシュレーションボード[ＩＢ]，中質繊維板[ＭＤＦ]等)、木削片板(パーティクルボード、ストランドボード、配向性ストランドボード[ＯＳＢ]等)、集成材、単板積層材或いはこれらの任意複合材が用いられている。又、これら部材の表・裏面あるいは木口部の一部表面に、化粧紙、化粧樹脂含浸紙、化粧合成樹脂シート、化粧単板等からなる化粧材を貼着してもよく、着色塗装、柄模様印刷、透明塗装等を施したり、化粧材貼善後にその表面に着色塗装や透明塗装を施してもよい。
【００１９】
押し開き側部材１２は、図３に示すように、戸当り取付部１６，扉側取付部１８，カバー部２０及びこれらを互いに連結する複数の関節条部２２とで構成されている。
【００２０】
戸当り取付部１６は、ＡＢＳ樹脂などのように耐衝撃性に優れる硬質の合成樹脂からなり、開口枠Ｗに取り付けられた戸当りＳの表面に着脱可能に取り付けられる長尺の細板材で、この戸当り取付部１６の戸当り取付面全長に亘って両面粘着テープ２４などの貼着手段が取り付けられている。
【００２１】
扉側取付部１８は、戸当り取付部１６と同様にＡＢＳ樹脂などの耐衝撃性に優れる硬質の合成樹脂を断面略コ字状のフック形状に成形した長尺の部材で、図２に示すように、押し開き側掛止部材２６を用いて扉Ｄの枢支側端部の表面に取り付けられる。
【００２２】
ここで、押し開き側掛止部材２６は、図５に示すように、扉Ｄにおける枢支側端部の側面に貼着される貼着片２６ａと、この貼着片２６ａの端部から略直角に延ばされて扉Ｄの押し開き側表面に沿着される沿着片２６ｂと、沿着片２６ｂの先端が折り返されて押し開き側部材１２の扉側取付部１８が嵌着される嵌着部２６ｃとで構成された長尺の部材である。又、この押し開き側掛止部材２６の貼着片２６ａには、扉側面への取付面に両面粘着テープ２８などの貼着手段が取り付けられている。なお、この押し開き側掛止部材２６は、ポリカーボネートなどの合成樹脂或いはアルミニウムなどの金属と云ったような機械的強度に優れた材料で形成されている。
【００２３】
カバー部２０は、硬質材料、とりわけ戸当り取付部１６や扉側取付部１８と同様にＡＢＳ樹脂などの耐衝撃性に優れる硬質の合成樹脂からなる長尺の板状部材で、戸当り取付部１６と扉側取付部１８との間に架設され、扉開閉時に扉Ｄと開口枠Ｗとの間に形成される隙間に押し開き側から指などが入り込むのを防止する。
【００２４】
本実施例では、このカバー部２０が、扉Ｄを１８０度回動させて開口部Ｏを全開した際に、開口枠Ｗの丁番側表面から丁番Ｈ近傍までを覆う水平断面略へ字状の第１カバー部２０ａと、第１カバー部２０ａの長辺部分の幅と略同等の幅にて形成され、扉Ｄの枢支側の側面近傍を覆う第２カバー部２０ｂと、第１カバー部２０ａの短辺部分の幅と略同等の幅にて形成され、扉の押し開き側表面近傍を覆う第３カバー部２０ｃと云った３つのパーツに分割されており、これらが後述する関節条部２２によって連結されている(図７(d)参照)。なお、本実施例では、上述のように第１カバー部２０ａを水平断面略へ字状に形成する場合を示したが、この第１カバー部２０ａをストレートな板状に形成するようにしてもよい。
【００２５】
関節条部２２は、エラストマー樹脂などのように可撓性に富んだ合成樹脂からなる長尺狭幅の部材で、隣接する第１カバー部２０ａと第２カバー部２０ｂ、第２カバー部２０ｂと第３カバー部２０ｃ、第１カバー部２０ａと戸当り取付部１６及び第３カバー部２０ｃと扉側取付部１８とを互いに連結するものである。このうち、少なくともカバー部２０ａ〜２０ｃ同士を連結する関節条部２２は、その表面が各カバー部２０ａ〜２０ｃの外表面に対して略面一となるように取り付けられており、これにより、開口部Ｏに押し開き側部材１２を装着した際に、該押し開き側部材１２の表面に凹凸が現れにくくなり、意匠性をより一層向上させることができる。
【００２６】
なお、本実施例では、押し開き側部材１２を構成する各部の全てを合成樹脂で形成する場合を示したが、このように合成樹脂で形成することによって着色が容易となり、例えば、押し開き側部材１２の色調を扉Ｄ或いは開口枠Ｗの色調に合わせれば、押し開き側部材１２をより一層目立たなくすることができ、開口部Ｏの意匠性を向上させることができる。
【００２７】
引き開き側部材１４は、図４に示すように、枠体側取付部３０，扉側取付部３２，カバー部３４及びこれらを互いに連結する複数の関節条部３６とで構成されている。
【００２８】
枠体側取付部３０は、ＡＢＳ樹脂などのように耐衝撃性に優れる硬質の合成樹脂からなり、開口枠Ｗの側面に沿って着脱可能に取り付けられる長尺の細板材で、この枠体側取付部３０の枠体取付面全長に亘って両面粘着テープ３８などの貼着手段が取り付けられている。
【００２９】
扉側取付部３２は、枠体側取付部３０と同様にＡＢＳ樹脂などの耐衝撃性に優れる硬質の合成樹脂を断面略コ字状のフック形状に成形した長尺の部材で、図２に示すように、引き開き側掛止部材４０を用いて扉Ｄの枢支側端部の表面に取り付けられる。
【００３０】
ここで、引き開き側掛止部材４０は、図６に示すように、扉Ｄにおける枢支側端部の側面に貼着される貼着片４０ａと、この貼着片４０ａの端部から略直角に延ばされて扉Ｄの引き開き側表面に沿着される沿着片４０ｂと、沿着片４０ｂの表面から突出すると共にその先端が沿着片４０ｂの先端方向に曲折されて引き開き側部材１４の扉側取付部３２が嵌着される嵌着部４０ｃとで構成された長尺の部材である。又、この引き開き側掛止部材４０の貼着片４０ａには、扉側面への取付面に両面粘着テープ４２などの貼着手段が取り付けられている。なお、この引き開き側掛止部材４０は、上述した押し開き側掛止部材２６と同様に、ポリカーボネートなどの合成樹脂或いはアルミニウムなどの金属と云ったような機械的強度に優れた材料で形成されている。
【００３１】
カバー部３４は、硬質材料、とりわけ枠体側取付部３０や扉側取付部３２と同様にＡＢＳ樹脂などの耐衝撃性に優れる硬質の合成樹脂からなる長尺の板状部材で、枠体側取付部３０と扉側取付部３２との間に架設され、扉開閉時に扉Ｄと開口枠Ｗとの間に形成される隙間に引き開き側から指などが入り込むのを防止する。
【００３２】
本実施例では、このカバー部３４が、開口部Ｏの扉Ｄを閉めた際に、丁番Ｈの枠体側取付片ｈ１の表面近傍を覆う細板状の第１カバー部３４ａと、水平断面切欠き円弧状に形成され、丁番Ｈの枢着軸ｈ２の外周近傍を覆う第２カバー部３４ｂと、丁番Ｈの扉側取付片ｈ３の表面近傍を覆う細板状の第３カバー部３４ｃと云った３つのパーツに分割されており、これらが後述する関節条部３６によって連結されている(図２参照)。
【００３３】
関節条部３６は、エラストマー樹脂などのように可撓性に富んだ合成樹脂からなる長尺狭幅の部材で、隣接する第１カバー部３４ａと第２カバー部３４ｂ，第２カバー部３４ｂと第３カバー部３４ｃ，第１カバー部３４ａと枠体側取付部３０及び第３カバー部３４ｃと扉側取付部３２とを互いに連結するものである。このうち、少なくともカバー部３４ａ〜３４ｃ同士を連結する関節条部３６は、その表面が各カバー部３４ａ〜３４ｃの外表面に対して略面一となるように取り付けられており、これにより、開口部Ｏに引き開き側部材１４を装着した際に、該引き開き側部材１４の表面に凹凸が現れにくくなり、意匠性をより一層向上させることができる。
【００３４】
なお、本実施例では、引き開き側部材１４を構成する各部の全てを合成樹脂で形成しており、上述した押し開き側部材１２と同様に、各部を合成樹脂で形成することによって着色が容易となり、例えば、引き開き側部材１４の色調を扉Ｄ或いは開口枠Ｗの色調に合わせれば、引き開き側部材１４をより一層目立たなくすることができ、開口部Ｏの意匠性を向上させることができる。
【００３５】
次に、以上のように構成された扉Ｄの指挟み防止具１０の作用について図７を参照しつつ説明する。図７は、扉Ｄの開閉時における指挟み防止具１０の動作を示す水平方向断面図である。ドアノブＮ(図１参照)等を操作して開口部Ｏを閉じていた扉Ｄを開けると、閉扉時に開口枠Ｗに沿うようにしてカバー部２０が折り畳まれていた押し開き側部材１２が伸長を開始し(図７(b)及び(c)参照)、該扉Ｄを１８０度回動させて全開にした際(つまり、扉Ｄを開扉した際)には、押し開き側部材１２が開口枠Ｗの表面，扉Ｄの側面及び押し開き側表面に沿ってこれらを覆うように伸長する(図７(d)参照)。
【００３６】
一方、閉扉時に開口枠Ｗと扉Ｄとを枢支する丁番Ｈ近傍を囲繞するように伸長していた引き開き側部材１４(図７(a)参照)は、扉を１８０度回動させて全開とした際に、丁番Ｈから離間する方向へと移動しつつ折り畳まれるようになる(図７(b)〜(d)参照)。
【００３７】
このように、本実施例の扉Ｄの指挟み防止具１０は、扉Ｄの１８０度開開に対応した最小のサイズで構成されている。
【００３８】
以上のように構成された本実施例の扉Ｄの指挟み防止具１０によれば、扉Ｄの枢支側端部における押し開き側及び引き開き側のそれぞれに、硬質材料からなるカバー部２０，３４を主体とした押し開き側部材１２及び引き開き側部材１４が取り付けられている。このため、扉Ｄの枢支側端部の両側から扉Ｄと開口枠Ｗとの間に指などが入り込むのを防止することができ、扉Ｄの枢支側端部での指挟み事故を防止することができる。
【００３９】
更に云えば、硬質材料からなり３分割されたカバー部２０，３４同士を、可撓性材料からなる長尺狭幅の関節条部２２，３６で連結した構造であるため、当該カバー部２０，３４を表面側から押した場合であっても、可撓性材料のみからなるアコーディオン状のカバー部材と異なり、逆方向(裏面側)に折れ曲がり難い。
【００４０】
なお、上述の実施例では、図１に示すように、指挟み防止具１０を、開口部Ｏを開閉する扉Ｄの高さ方向全体に取り付ける場合を示したが、例えば、子供の指挟み事故のみを防止すればよい様な場合には、子供の身長に対応した所定の高さにのみ指挟み防止具１０を取り付けるようにしてもよい。
【００４１】
また、上述の例では、押し開き側部材１２の扉側取付部１８及び引き開き側部材１４の扉側取付部３２を断面略コ字状のフック形状に成形すると共に、これらを押し開き側掛止部材２６或いは引き開き側掛止部材４０を用いて扉Ｄの枢支側端部表面に取り付ける場合を示したが、図８に示すように、扉側取付部１８及び扉側取付部３２をフラットな細板状に形成すると共に、これらを両面粘着テープ４４，４６などの貼着手段を用いて扉Ｄの枢支側各表面に着脱可能に取り付けるようにしてもよい。
【図面の簡単な説明】
【００４２】
【図１】本発明の扉の指挟み防止具が適用された開口部を示す正面図である。
【図２】図１におけるＡ−Ａ断面図である。
【図３】本発明の扉の指挟み防止具における一実施例の押し開き側部材を示す斜視図である。
【図４】本発明の扉の指挟み防止具における一実施例の引き開き側部材を示す斜視図である。
【図５】本発明の扉の指挟み防止具の固定に用いられる押し開き側掛止部材の一例を示す斜視図である。
【図６】本発明の扉の指挟み防止具の固定に用いられる引き開き側掛止部材の一例を示す斜視図である。
【図７】扉の開閉時における指挟み防止具の動作を示す水平方向断面図である。
【図８】本発明における他の実施例の扉の指挟み防止具を示す斜視図である。
【符号の説明】
【００４３】
１０…指挟み防止具
１２…押し開き側部材
１４…引き開き側部材
１６…戸当り取付部
１８…扉側取付部
２０…カバー部
２２…関節条部
２４…両面粘着テープ
２６…押し開き側掛止部材
２６ａ…貼着片
２６ｂ…沿着片
２６ｃ…嵌着部
２８…両面粘着テープ
３０…枠体側取付部
３２…扉側取付部
３４…カバー部
３６…関節条部
３８…両面粘着テープ
４０…引き開き側掛止部材
４０ａ…貼着片
４０ｂ…沿着片
４０ｃ…嵌着部
４２…両面粘着テープ
４４，４６…両面粘着テープ
Ｏ…開口部
Ｗ…開口枠
Ｄ…扉
Ｓ…戸当り
Ｈ…丁番
ｈ１…枠体側取付片
ｈ２…枢着軸
ｈ３…扉側取付片
【図１】
2010084411.tif 000003
【図２】
2010084411.tif 000004
【図３】
2010084411.tif 000005
【図４】
2010084411.tif 000006
【図５】
2010084411.tif 000007
【図６】
2010084411.tif 000008
【図７】
2010084411.tif 000009
【図８】
2010084411.tif 000010